(57)【特許請求の範囲】
【請求項１】
巻体（Ｒ）を保持する回転リール（１）を回転自在として設置したものとし、前記回転リール（１）の回転体（３）の中央部の周囲に、前記回転体（３）の中心から外方へ連繋して移動するようにした複数の保持体（５）を設けたものとし、前記保持体（５）は、保持柱（１１ａ）または保持壁（１１ｂ）を二枚のスライド板（１２）にそれぞれ固定したものとし、それぞれの保持柱（１１ａ）または保持壁（１１ｂ）が前記回転体（３）の内方から外方にかけて平行に切り欠いた一対のスリット（１６）からそれぞれ突出するようにし、前記スライド板（１２）は、略Ｌ字状に形成されており、それぞれの内側対向面（１２ａ）にラック歯（１７）を形成し、これらラック歯（１７）の間にピニオン（１８）を噛み合わせて、前記内側対向面（１２ａ）どうしを平行に配置して、前記スライド板（１２）どうしが近づく方向または遠ざかる方向にスライドするようにし、前記スライド板（１２）の一枚には、ねじ穴（１９）を設け、このねじ穴（１９）に、前記回転体（３）の内方から外方にかけて切り欠いた移動スリット（２０）から止着ねじ（２１）をねじ込んで、この止着ねじ（２１）を締め付けて、前記スライド板（１２）のスライドを停止させ、他の一枚のスライド板（１２）のスライドも停止させることにより、前記保持柱（１１ａ）間または保持壁（１１ｂ）間が適宜間隔になるようにしたことを特徴とする引出装置。
【発明の詳細な説明】
【技術分野】
【０００１】
この発明は、電線やケーブルなどの巻体を保持し、その巻体を使用時に引き出せるようにした引出装置に関するものである。
【背景技術】
【０００２】
従来、この種の引出装置としては、例えば、図３５、３６に示したようなものが存在する。図示した引出装置は、電線やケーブルなどの巻体Ｒを保持する回転リール３１を、垂直支軸３２の回りに回転自在として、外包囲体３３の内方に設置したものとしている（非特許文献１）。
【０００３】
前記回転リール３１は、円板状の回転体３４の中央部に、前記垂直支軸３２に軸支される支持筒３５が設けられ、この支持筒３５の周囲には電線やケーブルなどの巻体Ｒの中心空洞部Ｏが保持される保持体３６が設けられている。さらに、前記支持筒３５には、その側部からねじ込んで、前記垂直支軸３２に押し付けられて回転リール３１の回転速度を加減するようにしたブレーキ部材３７が取り付けられている。
【０００４】
前記外包囲体３３は、前記回転リール３１の回転体３４の周囲に設置されており、適宜間隔をおいて四本、立設した支柱３８のそれぞれ隣り合う二本どうしの上端間を連結体３９で連結し、これら対向する連結体３９のそれぞれに外出し枠４０を設けたものとしている。さらに、前記連結体３９の一方に、回転リール３１に保持された巻体Ｒの中心空洞部Ｏと略同一径の蓋体４１を中央部に取り付けた枠体４３の一端を軸支し、この枠体４３の他端を前記連結体３９の他方に着脱自在にすることにより、この枠体４３で前記巻体Ｒの上方を開閉できるようにしている。
【０００５】
前記保持体３６は、前記巻体Ｒの中心空洞部Ｏに収まるように、四本の保持柱４４の互いの上端間を梁材４５と筋交い４６で連結してやぐら状に組み、前記回転リール３１の回転体３４上に固定したものとしている。
【先行技術文献】
【特許文献】
【０００６】
【非特許文献１】ジェフコム株式会社発行の「２０１０〜２０１１ジェフコム総合カタログｖｏｌ．１９」の第６２ページ。
【発明の概要】
【発明が解決しようとする課題】
【０００７】
しかしながら、上記従来の引出装置では、電線やケーブルなどの巻体Ｒの種類によっては、中心空洞部Ｏの内径の大きさも異なるので、巻体Ｒを保持体３６に保持した場合に、回転リール３１の回転体３４の中心点とその巻体Ｒの中心点がずれることがある。このような状態で、巻体Ｒを引き出すと、巻体Ｒがかたより、もつれてしまい、巻体Ｒの引き出し操作が最後までスムーズに行うことができなくなるという問題点を有していた。
【０００８】
さらに、上記従来の引出装置では、電線やケーブルなどの巻体Ｒを引き出している最中に、この巻体Ｒが緩んで広がってしまったり、もつれたり、移動したりして、回転リール３１の回転体３４の中心点とその巻体Ｒの中心点がずれることがある。このような状態で、巻体Ｒを引き出すと、巻体Ｒがかたより、もつれてしまい、巻体Ｒの引き出し操作が止まったりし、最後まで引き出せなくなるという大きな問題点を有していた。
【０００９】
そこで、この発明は、上記従来の問題点を解決することをその課題としており、簡単な操作で、保持体に保持した巻体の中心点と回転リールの回転体の中心点とがずれないようにし、巻体を引き出す場合に、巻体がかたよらず、もつれず、巻体の引き出し操作が最後までスムーズに行うことができる引出装置を提供することを目的としてなされたものである。
【課題を解決するための手段】
【００１０】
この発明の引出装置は、巻体Ｒを保持する回転リール１を回転自在として設置したものとし、前記回転リール１の回転体３の中央部の周囲に、前記回転体３の中心から外方へ連繋して移動するようにした複数の保持体５を設けたものとし、前記保持体５は、保持柱１１ａまたは保持壁１１ｂを二枚のスライド板１２にそれぞれ固定したものとし、それぞれの保持柱１１ａまたは保持壁１１ｂが前記回転体３の内方から外方にかけて平行に切り欠いた一対のスリット１６からそれぞれ突出するようにし、前記スライド板１２は、略Ｌ字状に形成されており、それぞれの内側対向面１２ａにラック歯１７を形成し、これらラック歯１７の間にピニオン１８を噛み合わせて、前記内側対向面１２ａどうしを平行に配置して、前記スライド板１２どうしが近づく方向または遠ざかる方向にスライドするようにし、前記スライド板１２の一枚には、ねじ穴１９を設け、このねじ穴１９に、前記回転体３の内方から外方にかけて切り欠いた移動スリット２０から止着ねじ２１をねじ込んで、この止着ねじ２１を締め付けて、前記スライド板１２のスライドを停止させ、他の一枚のスライド板１２のスライドも停止させることにより、前記保持柱１１ａ間または保持壁１１ｂ間が適宜間隔になるようにしている。
【発明の効果】
【００１７】
この発明の引出装置は、以上に述べたように構成されているので、簡単な操作で、保持体に保持した巻体の中心点と回転リールの回転体の中心点とがずれないようにすることができ、巻体を引き出す場合に、巻体がかたよらず、もつれず、巻体の引き出し操作が最後までスムーズに行うことができるものとなる。
【図面の簡単な説明】
【００１８】
【図１】この発明の引出装置の一実施形態を斜め上方から見た状態の斜視図である。
【図２】図１に示すこの発明の引出装置を方向を変えて斜め上方から見た状態の斜視図である。
【図３】この発明の引出装置に保持される巻体を斜め上方から見た状態の斜視図である。
【図４】図１に示すこの発明の引出装置を斜め下方から見た状態の斜視図である。
【図５】図１に示すこの発明の引出装置の平面図である。
【図６】図１に示すこの発明の引出装置の底面図である。
【図７】図１に示すこの発明の引出装置の側面図である。
【図８】図１に示すこの発明の引出装置の回転リールを斜め上方から見た状態の斜視図である。
【図９】図１に示すこの発明の引出装置の回転リールを斜め下方から見た状態の斜視図である。
【図１０】図１に示すこの発明の引出装置の回転リールの底面図である。
【図１１】図１に示すこの発明の引出装置の対向する保持体の一方を示す斜視図である。
【図１２】図１に示すこの発明の引出装置の対向する保持体の他方を示す斜視図である。
【図１３】この発明の引出装置の他の実施形態を斜め上方から見た状態の斜視図である。
【図１４】図１３に示すこの発明の引出装置を方向を変えて斜め上方から見た状態の斜視図である。
【図１５】図１３に示すこの発明の引出装置の対向する保持体の一方を示す斜視図である。
【図１６】図１３に示すこの発明の引出装置の対向する保持体の他方を示す斜視図である。
【図１７】この発明の引出装置のさらに他の実施形態を斜め上方から見た状態の斜視図である。
【図１８】図１７に示すこの発明の引出装置を方向を変えて斜め上方から見た状態の斜視図である。
【図１９】図１７に示すこの発明の引出装置を斜め下方から見た状態の斜視図である。
【図２０】図１７に示すこの発明の引出装置の平面図である。
【図２１】図１７に示すこの発明の引出装置の底面図である。
【図２２】図１７に示すこの発明の引出装置の回転リールを斜め上方から見た状態の斜視図である。
【図２３】図１７に示すこの発明の引出装置の回転リールを斜め下方から見た状態の分解斜視図である。
【図２４】図１７に示すこの発明の引出装置の回転リールの回転体のみの底面図である。
【図２５】図１７に示すこの発明の引出装置の複数の保持体の配置状態（保持体どうしの間隔が狭まった状態）を示す斜視図である。
【図２６】図１７に示すこの発明の引出装置の複数の保持体の配置状態（保持体どうしの間隔が広がった状態）を示す斜視図である。
【図２７】図１７に示すこの発明の引出装置の複数の保持体のうちの一つを示す斜視図である。
【図２８】図１７に示すこの発明の引出装置の複数の保持体のうちの他の一つを示す斜視図である。
【図２９】図１７に示すこの発明の引出装置の複数の保持体のうちのさらに他の一つを示す斜視図である。
【図３０】この発明の引出装置のさらに他の実施形態を斜め上方から見た状態の斜視図である。
【図３１】図３０に示すこの発明の引出装置を方向を変えて斜め上方から見た状態の斜視図である。
【図３２】図３０に示すこの発明の引出装置の複数の保持体のうちの一つを示す斜視図である。
【図３３】図３０に示すこの発明の引出装置の複数の保持体のうちの他の一つを示す斜視図である。
【図３４】図３０に示すこの発明の引出装置の複数の保持体のうちのさらに他の一つを示す斜視図である。
【図３５】従来の引出装置の巻体を保持する前の状態を示す説明図である。
【図３６】従来の引出装置の使用状態を示す説明図である。
【発明を実施するための形態】
【００１９】
以下、この発明の引出装置を実施するための一形態を、図面に基づいて詳細に説明する。
【００２０】
図１〜７に示したように、この発明の引出装置は、電線やケーブルなどの巻体Ｒを保持する回転リール１を回転自在として、外包囲体２の内方に設置したものとしている。なお、前記回転リール１は、図示したものでは、垂直支軸（図示せず）の回りに回転自在としているが、この回転リール１を回転自在とするには、このような構造に限定されることはない。また、前記外包囲体２は、設けなくても実施することができる。
【００２１】
前記回転リール１は、円板状や皿状等とした回転体３の中央部に、前記垂直支軸に軸支される支持筒４が設けられ、この支持筒４の周囲には電線やケーブルなどの巻体Ｒの中心空洞部Ｏが保持される複数の保持体５が設けられている。さらに、前記支持筒４には、その側部からねじ込んで、前記垂直支軸に押し付けられて、回転リール１の回転速度を加減するようにしたブレーキ部材６が取り付けられている。
【００２２】
前記外包囲体２は、前記回転リール１の回転体３の周囲に設置されており、適宜間隔をおいて四本、立設した支柱７のそれぞれ隣り合う二本どうしの上端間を連結体８で連結したものとし、これら支柱７と連結体８で囲まれる部分から前記巻体Ｒを引き出せるようにしている。すなわち、前記支柱７と連結体８で囲まれる部分において、対向する連結体８のそれぞれに外出し枠９を設けたものとし、この外出し枠９から前記巻体Ｒを引き出せるようにしている。なお、前記支柱７は、四本にする場合には、図示したように、十字状に交差させた支持体１０のそれぞれの両端部に立設したものとしているが、Ｈ状に形成した支持体１０の四端部に立設したものとしたり、円形枠状に形成した支持体（図示せず）の周囲に立設したものとしてもよい。また、前記支柱７は、四本以外にも、三本、五本、六本、八本などにすることができ、この場合にも円形枠状に形成した支持体の周囲にそれぞれの本数を立設したものとすればよく、前記支柱７の立設する本数が限定されたり、前記支持体１０の形状や構造が限定されることはない。
【００２３】
前記保持体５は、図８〜１２に示したように、前記回転体３の中心から外方へ連繋して移動するようにした一対の保持柱１１ａを二枚のスライド板１２にそれぞれ固定したものとし、前記回転体３の中央部の周囲に設けたものとしている。
【００２４】
さらに、前記保持体５は、図１３〜１６に示したように、前記回転体３の中心から外方へ連動するようにした保持壁１１ｂを二枚のスライド板１２にそれぞれ固定したものとし、前記回転体３の中央部の周囲に設けたものとしてもよい。
【００２５】
前記連結体８の一方には、回転リール１に保持された巻体Ｒの中心空洞部Ｏと略同一径の蓋体１３を中央部に取り付けた枠体１４の一端を軸支し、この枠体１４の他端を前記対向する連結体８の他方に着脱自在にすることにより、この枠体１４で前記巻体Ｒの上方を開閉できるようにしている。
【００２６】
前記保持柱１１ａは、前記スライド板１２に二本が適宜間隔をおいて固定され、前記回転体３の内方から外方にかけて平行に切り欠いた一対のスリット１６からそれぞれが突出するようにしている。なお、前記保持柱１１ａは、巻体Ｒが設置し易いように、上端を内向きに約９０度の角度に折り曲げたものとしているが、保持した巻体Ｒが回転中に飛び跳ねたりしないように、上端を外向きに約９０度の角度に折り曲げたものとしてもよい。
【００２７】
さらに、前記保持壁１１ｂは、前記スライド板１２に適宜間隔をおいて固定された支持部１５間に平面状に形成したものとしているが、このような平面状に限定されることなく、例えば前記支持部１５間に、保持する巻体Ｒの中心空洞部Ｏに沿うような曲面状に形成したもの（図示せず）としてもよい。
【００２８】
前記スライド板１２は、略Ｌ字状に形成されており、それぞれの内側対向面１２ａにラック歯１７を形成し、これらラック歯１７の間にピニオン１８を噛み合わせて、前記内側対向面１２ａどうしを平行に配置して、前記回転体３の裏面に添わせたものとしており、前記スライド板１２どうしが近づく方向または遠ざかる方向にスライドするようにしたものとしている。
【００２９】
さらに、前記スライド板１２の一枚には、ねじ穴１９を設け、このねじ穴１９に、前記回転体３の内方から外方にかけて切り欠いた移動スリット２０から止着ねじ２１をねじ込んで、この止着ねじ２１を締め付けて、前記スライド板１２のスライドを停止させ、他の一枚のスライド板１２のスライドも停止させることにより、前記保持柱１１ａ間または保持壁１１ｂ間が適宜間隔になるようにしている。
【００３０】
なお、前記スライド板１２は、回転体３の裏面に露出させたものとしているが、カバー（図示せず）で被い隠したものとすることができる。また、前記スライド板１２は、回転体３の裏面に添わせたものしているが、場合によっては、回転体３の表面に添わせたものとしてもよい。
【００３１】
次に、この発明の引出装置を実施するためのさらに他の形態を、図面に基づいて詳細に説明する。
【００３２】
図１７〜２１に示したように、この発明の引出装置は、上記実施形態と同様に、電線やケーブルなどの巻体Ｒを保持する回転リール１を回転自在として、外包囲体２の内方に設置したものとしている。なお、前記回転リール１は、図示したものでは、垂直支軸（図示せず）の回りに回転自在としているが、この回転リール１を回転自在とするには、このような構造に限定されることはない。また、前記外包囲体２は、設けなくても実施することができる。
【００３３】
前記回転リール１は、上記実施形態と同様に、円板状や皿状等とした回転体３の中央部に、前記垂直支軸に軸支される支持筒４が設けられ、この支持筒４の周囲には電線やケーブルなどの巻体Ｒの中心空洞部Ｏが保持される複数の保持体５が設けられている。さらに、前記支持筒４には、その側部からねじ込んで、前記垂直支軸に押し付けられて、回転リール１の回転速度を加減するようにしたブレーキ部材６が取り付けられている。
前記外包囲体２は、上記実施形態と同様に、回転リール１の回転体３の周囲に設置されており、適宜間隔をおいて四本、立設した支柱７のそれぞれ隣り合う二本どうしの上端間を連結体８で連結したものとし、これら支柱７と連結体８で囲まれる部分から前記巻体Ｒを引き出せるようにしている。すなわち、前記支柱７と連結体８で囲まれる部分において、対向する連結体８のそれぞれに外出し枠９を設けたものとし、この外出し枠９から前記巻体Ｒを引き出せるようにしている。なお、前記支柱７は、四本にする場合には、図示したように、十字状に交差させた支持体１０のそれぞれの両端部に立設したものとしているが、Ｈ状に形成した支持体１０の四端部に立設したものとしたり、円形枠状に形成した支持体（図示せず）の周囲に立設したものとしてもよい。また、前記支柱７は、四本以外にも、三本、五本、六本、八本などにすることができ、この場合にも円形枠状に形成した支持体の周囲にそれぞれの本数を立設したものとすればよく、前記支柱７の立設する本数が限定されたり、前記支持体１０の形状や構造が限定されることはない。
【００３４】
前記保持体５は、図２２〜２９に示したように、前記回転体３の中心から外方へ連繋して移動するようにした保持柱１１ａを三枚のスライド板１２にそれぞれ固定したものとし、前記回転体３の中央部の周囲に設けたものとしている。
さらに、前記保持体５は、図３０〜３４に示したように、前記回転体３の中心から外方へ連動するようにした保持壁１１ｂを三枚のスライド板１２にそれぞれ固定したものとし、前記回転体３の中央部の周囲に設けたものとしてもよい。
【００３５】
前記連結体８の一方には、上記実施形態と同様に、回転リール１に保持された巻体Ｒの中心空洞部Ｏと略同一径の蓋体１３を中央部に取り付けた枠体１４の一端を軸支し、この枠体１４の他端を前記対向する連結体８の他方に着脱自在にすることにより、この枠体１４で前記巻体Ｒの上方を開閉できるようにしている。
【００３６】
前記保持柱１１ａは、前記スライド板１２に固定され、前記回転体３の内方から外方にかけて１２０度の交差角で三方向に切り欠いたスリット１６からそれぞれが突出するようにしている。なお、前記保持柱１１ａは、巻体Ｒが設置し易いように、上端を内向きに約９０度の角度に折り曲げたものとしているが、保持した巻体Ｒが回転中に飛び跳ねたりしないように、上端を外向きに約９０度の角度に折り曲げたものとしてもよい。
【００３７】
さらに、前記保持壁１１ｂは、前記スライド板１２に固定された支持部１５に平面状に形成したものとしているが、このような平面状に限定されることなく、例えば前記支持部１５に、保持する巻体Ｒの中心空洞部Ｏに沿うような曲面状に形成したもの（図示せず）としてもよい。
前記スライド板１２は、略Ｌ字状に形成されており、それぞれの内側対向面１２ａにラック歯１７を形成し、これらラック歯１７の間にピニオン１８を噛み合わせて、前記内側対向面１２ａどうしを１２０度の交差角で三方向に配置して、前記回転体３の裏面に添わせたものとしており、前記スライド板１２どうしが近づく方向（図２５参照）または遠ざかる方向（図２６参照）にスライドするようにしたものとしている。
【００３８】
さらに、前記スライド板１２の一枚には、ねじ穴１９を設け、このねじ穴１９に、前記回転体３の内方から外方にかけて切り欠いた移動スリット２０から止着ねじ２１をねじ込んで、この止着ねじ２１を締め付けて、前記スライド板１２のスライドを停止させ、他の二枚のスライド板１２のスライドも停止させることにより、前記保持柱１１ａ間が適宜間隔になるようにしている。
【００３９】
なお、前記スライド板１２は、スライド板１２どうしが近づく方向にスライドする場合には、それぞれが突き当たらないように配置したものとしている。例えば図示したように、前記回転体３の裏面及びこの裏面に被せるカバー２２の内面との間に、前記スライド板１２を挟み込むことにより、スライド板１２どうしが突き当たらないように配置することができる。
【００４０】
すなわち、図示したように、前記回転体３の裏面において、三方向のうち一方向には、段部を設けず、他の二方向のうち一方向には、スライド板１２の一枚分の厚さの段部２３ａを設け、残りの一方向には、スライド板１２の二枚分の厚さの段部２３ｂを設ける。さらに、前記カバー２２の内面において、前記回転体３の段部を設けていない部分に対向する部分には、スライド板１２の二枚分の厚さの段部２４ｂを設け、前記回転体３のスライド板１２の一枚分の厚さの段部２３ａを設けた部分に対向する部分には、スライド板１２の一枚分の厚さの段部２４ａを設け、前記回転体３のスライド板１２の二枚分の厚さの段部２３ｂに対向する部分には、段部を設けない。そして、前記回転体３の裏面にカバー２２を被せる場合に、前記回転体３の段部を設けていない部分と前記カバー体２２のスライド板１２の二枚分の厚さの段部２４ｂを設けた部分との間、前記回転体３のスライド板１２の一枚分の厚さの段部２３ａを設けた部分と前記カバー体２２のスライド板１２の一枚分の厚さの段部２４ａを設けた部分との間、前記回転体３のスライド板１２のニ枚分の厚さの段部２３ｂを設けた部分と前記カバー体２２の段部を設けていない部分との間に、それぞれスライド板１２の一枚分の隙間が空くようにして、これら隙間にそれぞれのスライド板１２を挟み込むことにより、スライド板１２どうしが突き当たらないように配置することができる。
【００４１】
さらに、前記回転体３の裏面には、それぞれのスライド板１２の外側面に沿うようにしたスライドガイド２５を設けたものとすれば、前記スライド板１２がスライドさせ易いものとなる。
なお、前記スライド板１２は、カバー２２で被い隠したものとしているが、回転体３の裏面に露出させたものとしてもよい。また、前記スライド板１２は、回転体３の裏面に添わせたものしているが、場合によっては、回転体３の表面に添わせたものとしてもよい。
【００４２】
以上のように構成したこの発明の引出装置では、電線やケーブルなどの巻体Ｒを保持体５に保持する場合には、その巻体Ｒの中心空洞部Ｏの内径の大きさに合わせて、対向した一対の保持体５どうしの間隔を調節する。
【００４３】
すなわち、前記巻体Ｒの中心空洞部Ｏの内径が大きい場合には、前記止着ねじ２１を緩め、前記対向する保持体５の保持柱１１ａや保持壁１１ｂの一方、または三方の保持体５の保持柱１１ａや保持壁１１ｂの何れかを手指で摘み、前記スリット１６に沿って前記回転体３の内方から外方へ移動させる。
【００４４】
前記保持体５の保持柱１１ａや保持壁１１ｂが回転体３の内方から外方へ移動すると、前記ラック歯１７とピニオン１８の噛み合わせによって、対向する保持体５の保持柱１１ａや保持壁１１ｂのもう一方、または三方の保持体５の保持柱１１ａや保持壁１１ｂの他の二方も連繋して、回転体３の内方から外方へ移動し、対向する保持体５の保持柱１１ａや保持壁１１ｂどうしの間隔や、三方の保持体５の保持柱１１ａや保持壁１１ｂどうしの間隔が広がっていくので、これらの間隔を前記巻体Ｒの中心空洞部Ｏの内径の大きさに合わせて広げ、前記止着ねじ２１を締め付け、前記保持体５をその位置から移動しないようにする。
【００４５】
そして、前記間隔が広がった保持体５の保持柱１１ａや保持壁１１ｂに、前記中心空洞部Ｏの内径が大きい前記巻体Ｒを保持した場合に、両者の間に隙間が生じないようにする。
【００４６】
さらに、前記巻体Ｒの中心空洞部Ｏの内径が小さい場合には、前記止着ねじ２１を緩め、前記対向する保持体５の保持柱１１ａや保持壁１１ｂの一方、または三方の保持体５の保持柱１１ａや保持壁１１ｂの何れかを手指で摘み、前記スリット１６に沿って前記回転体３の外方から内方へ移動させる。
【００４７】
前記保持体５の保持柱１１ａや保持壁１１ｂが回転体３の外方から内方へ移動すると、前記ラック歯１７とピニオン１８の噛み合わせによって、対向する保持体５の保持柱１１ａや保持壁１１ｂのもう一方、または三方の保持体５の保持柱１１ａや保持壁１１ｂの他の二方も連繋して、回転体３の外方から内方へ移動し、対向する保持体５の保持柱１１ａや保持壁１１ｂどうしの間隔や、三方の保持体５の保持柱１１ａや保持壁１１ｂどうしの間隔が狭まっていくので、これらの間隔を前記巻体Ｒの中心空洞部Ｏの内径の大きさに合わせて狭め、前記止着ねじ２１を締め付け、前記保持体５をその位置から移動しないようにする。
【００４８】
そして、前記間隔が狭まった保持体５の保持柱１１ａや保持壁１１ｂに、前記中心空洞部Ｏの内径が小さい前記巻体Ｒを保持した場合に、両者の間に隙間が生じないようにする。
【００４９】
以上のようにすると、この発明の引出装置では、前記保持体５の保持柱１１ａや保持壁１１ｂに巻体Ｒを保持した場合に、簡単な操作で、その巻体Ｒの中心点と回転リール１の回転体３の中心点とがずれないようにすることができる。
【００５０】
さらに、この発明の引出装置では、前記巻体Ｒを引き出している最中に、この巻体Ｒが緩んで広がってしまったり、もつれたり、移動したりしても、簡単な操作で、その巻体Ｒの中心点と回転リール１の回転体３の中心点とがずれないようにすることができる。
【００５１】
したがって、この発明の引出装置では、前記したような状態で、巻体Ｒを引き出すと、巻体Ｒがかたよらず、もつれることなく、巻体の引き出し操作が最後までスムーズに行うことができるものとなる。
【００５２】
なお、図示したこの発明の引出装置は、巻体Ｒを横置きにした実施態様を示したが、巻体Ｒを縦置きにした実施態様とすることもできるのは言うまでもない。
【符号の説明】
【００５３】
１  回転リール
２  外包囲体
３  回転体
５  保持体
１１ａ  保持柱
１１ｂ  保持壁
１２  スライド板
１２ａ  内側対向面
１６  スリット
１７  ラック歯
１８  ピニオン
１９  ねじ穴
２０  移動スリット
２１  止着ねじ
Ｒ  巻体
【図１】
0005800134.tif 000002
【図２】
0005800134.tif 000003
【図３】
0005800134.tif 000004
【図４】
0005800134.tif 000005
【図５】
0005800134.tif 000006
【図６】
0005800134.tif 000007
【図７】
0005800134.tif 000008
【図８】
0005800134.tif 000009
【図９】
0005800134.tif 000010
【図１０】
0005800134.tif 000011
【図１１】
0005800134.tif 000012
【図１２】
0005800134.tif 000013
【図１３】
0005800134.tif 000014
【図１４】
0005800134.tif 000015
【図１５】
0005800134.tif 000016
【図１６】
0005800134.tif 000017
【図１７】
0005800134.tif 000018
【図１８】
0005800134.tif 000019
【図１９】
0005800134.tif 000020
【図２０】
0005800134.tif 000021
【図２１】
0005800134.tif 000022
【図２２】
0005800134.tif 000023
【図２３】
0005800134.tif 000024
【図２４】
0005800134.tif 000025
【図２５】
0005800134.tif 000026
【図２６】
0005800134.tif 000027
【図２７】
0005800134.tif 000028
【図２８】
0005800134.tif 000029
【図２９】
0005800134.tif 000030
【図３０】
0005800134.tif 000031
【図３１】
0005800134.tif 000032
【図３２】
0005800134.tif 000033
【図３３】
0005800134.tif 000034
【図３４】
0005800134.tif 000035
【図３５】
0005800134.tif 000036
【図３６】
0005800134.tif 000037